(57)【要約】【課題】本発明は低露点の空気を少ないエネルギーで供給でき、またコストの安い除湿機を提供しようとするものである。【解決手段】本発明は以上のような課題を解決するため、除湿ロータ１を吸着ゾーン２、往路パージゾーン６、復路パージゾーン５、第１脱着ゾーン３、第２脱着ゾーン４とに分割し、往路パージゾーン６空気は被処理ゾーン２空気と同方向に流し、復路パージゾーン５空気は被処理ゾーン２空気と反対方向に流し、復路パージゾーン５空気と第２脱着ゾーン４空気とを混合して加熱し第１脱着ゾーン３、第２脱着ゾーン４に流し、第１脱着ゾーン３空気を排気するようにした。これによって最も湿度の高い空気のみ外部へ放出するようにした。【選択図】  図１
2005337616.tif 000002
【特許請求の範囲】
【請求項１】
湿気吸着剤を有する除湿ロータを設け、前記除湿ロータの両端面それぞれに接する被処理空気流入側チャンバー及び被処理空気流出側チャンバーをそれぞれ設け、前記被処理空気流入側チャンバー及び被処理空気流出側チャンバーによって前記除湿ロータを吸着ゾーン、往路パージゾーン、復路パージゾーン、第１・第２脱着ゾーンとに分割し、往路パージ空気は被処理空気と同方向に流し、復路パージ空気は被処理空気と反対方向に流し、復路パージ空気と第２脱着空気とを混合して加熱し第１脱着ゾーンと第２脱着ゾーンに流し、第１脱着空気を排気するようにした除湿機。
【請求項２】
被処理空気流入側のチャンバーは、少なくとも往路パージゾーンと復路パージゾーンとの間及び第１脱着ゾーンと吸着ゾーンとの間に除湿ロータとのシール手段を設けた請求項１記載の除湿機。
【請求項３】
被処理空気流出側のチャンバーは、少なくとも吸着ゾーンと往路パージゾーンとの間及び第１脱着ゾーンと吸着ゾーンとの間、さらに復路ゾーンと第２脱着ゾーンとの間に除湿ロータとのシール手段を設けた請求項１記載の除湿機。
【請求項４】
被処理空気流出側のチャンバーは、往路パージゾーンと復路パージゾーンとの間を連通する通路を有する請求項１記載の除湿機。
【請求項５】
被処理空気流入側のチャンバーは、復路パージゾーンと第２脱着ゾーンとを連通する通路を有する請求項１記載の除湿機。
【発明の詳細な説明】
【技術分野】
【０００１】
本発明は、たとえばシリカゲルやゼオライトなどの吸着剤を用いた除湿機に関するもので、特に極めて低露点の空気を供給可能であって、省エネルギーでかつ構造が簡単で安価なものを提供するものである。
【背景技術】
【０００２】
除湿機は冷凍機を用いて被処理空気中の水分を結露させて除湿を行うものと、シリカゲルやゼオライトなどの吸着剤などを用いることによって被処理空気中の湿気を吸着するものが一般に普及している。
【０００３】
このような２種の除湿原理の中で、被処理空気が多湿で供給空気の露点がマイナスまで要求されないものは、冷凍式のものは効率が高いのであるが、供給空気の条件がマイナスの露点を要求されると冷凍式のものでは極端に効率が悪くなる。このため低湿度の空気の供給が求められるものにあっては吸着式のものが普及している。
【０００４】
一方で吸着式のものにも、より低湿度の空気を供給することが求められ、さらに省エネルギーのものも求められている。このような技術として例えば特許文献１に開示されたものがある。
【特許文献１】特許出願公開平成６年第３４３８１９号公報
【発明の開示】
【発明が解決しようとする課題】
【０００５】
特許文献１に開示されたものは処理ゾーンを出た空気の一部をパージゾーンに流し、パージゾーンから出た空気を第２再生ゾーンに流すとともに第１再生ゾーンを通過した空気と混合して一部を捨て、残りの空気を第１再生ゾーンへと流すようにしたものである。
【０００６】
これによって特許文献１に開示されたものは、パージゾーンによって熱を回収し、パージゾーンを出た比較的露点の低い空気を第２再生ゾーンに流すことによって処理ゾーンを通過する空気の露点を極めて低い状態にすることができる。さらに露点のあまり高くなっていない第２再生ゾーン出口空気を第１再生ゾーンに流すことによってエネルギー削減効果も期待できるものである。
【０００７】
しかし特許文献１に記載のものは、構造が複雑で特に処理ゾーンを出た空気をパージゾーンへ送るためのダクトや第１再生ゾーンを出た空気を第２再生ゾーンへ送るためのダクトが必要であり、除湿ロータの両端面に密着するチャンバーの構造も複雑になるという問題がある。
【０００８】
本発明は特に極めて低露点の空気を供給可能であって、省エネルギーでかつ構造が簡単で安価な除湿機を提供するものである。
【課題を解決するための手段】
【０００９】
本件発明は以上のような課題を解決するため、除湿ロータを吸着ゾーン、往路・復路パージゾーン、第１・第２脱着ゾーンとに分割し、往路パージ空気は被処理空気と同方向に流し、復路パージ空気は被処理空気と反対方向に流し、復路パージ空気と第２脱着空気とを混合して加熱し第１・第２脱着ゾーンに流し、第１脱着空気を排気するようにした。
【発明の効果】
【００１０】
本発明の除湿機は上記の如く構成したので、最も湿度の高い第１脱着空気を排気し、湿度の比較的低い第２脱着空気を再度脱着ゾーンに流しているためエネルギーの無駄が少ない。往路パージゾーンは被処理空気の流れと同方向であるので、被処理空気を送るブロアで往路パージゾーンへの空気を送ることが可能である。
【００１１】
また除湿ロータの両端それぞれに接するチャンバーのうち被処理空気流入側のチャンバーは、往路パージゾーンと復路パージゾーンとの間及び第１脱着ゾーンと吸着ゾーンとの間のみ除湿ロータとのシール手段を設ければよいため、構造が簡単になる。
【００１２】
さらに被処理空気流出側のチャンバーは、吸着ゾーンと往路パージゾーンとの間、第１脱着ゾーンと吸着ゾーンとの間、及び復路ゾーンと第２脱着ゾーンとの間のみ除湿ロータとのシール手段を設ければよいため、構造が簡単になる。
【００１３】
しかも被処理空気流出側のチャンバーに往路パージゾーンと復路パージゾーンとの間を連通する通路を設けることで、両パージゾーンを連通するダクトなどが必要でなく、これも構造を簡単にする。そして被処理空気流入側のチャンバーに復路パージゾーンと第２脱着ゾーンとを連通する通路を設けることによって、この両者を連通するダクトなどが必要でなく、これも構造を簡単にする。
【発明を実施するための最良の形態】
【００１４】
本発明の請求項１に記載の発明は、湿気吸着剤を有する除湿ロータを設け、前記除湿ロータの両端面それぞれに接する被処理空気流入側チャンバー及び被処理空気流出側チャンバーをそれぞれ設け、前記被処理空気流入側チャンバー及び被処理空気流出側チャンバーによって前記除湿ロータを吸着ゾーン、往路パージゾーン、復路パージゾーン、第１・第２脱着ゾーンとに分割し、往路パージ空気は被処理空気と同方向に流し、復路パージ空気は被処理空気と反対方向に流し、復路パージ空気と第２脱着空気とを混合して加熱し第１脱着ゾーンと第２脱着ゾーンに流し、第１脱着空気を排気するようにしたもので、これによって第１脱着ゾーンを出た最も湿度の高い空気のみ排出することができるという作用を有する。
【実施例１】
【００１５】
以下本発明の除湿機の実施例について図に沿って詳細に説明する。図１は除湿機の実施例１のフロー図、図２は図１の左面から見た透視図である。ここで１は除湿ロータであり、耐熱性を有する無機繊維紙などでハニカム（蜂の巣）状に形成され、ゼオライトやシリカゲル等の湿気吸着剤を担持したものである。
【００１６】
この除湿ロータ１はギヤドモータ（図示せず）などによって１回転３分間程度の回転数で回転する。また除湿ロータ１はその回転方向に向かって吸着ゾーン２、第１脱着ゾーン３、第２脱着ゾーン４、復路パージゾーン５、往路パージゾーン６に被処理空気流入側チャンバー７及び被処理空気流出側チャンバー８によって分割されている。
【００１７】
処理ブロア９は被処理空気を吸着ゾーン２と往路パージゾーン６とに送るものである。脱着ブロア１０は復路パージゾーン５と第２脱着ゾーン４から出た空気をヒータ１１へ送るものである。ヒータ１１を通過した空気は第１脱着ゾーン３及び第２脱着ゾーン４へ送られる。第１脱着ゾーン３を通過した空気は排気として大気放出される。
【００１８】
図２は図１の左面から見た透視図で被処理空気流入側チャンバー７から除湿ロータ１を通して被処理空気流出側チャンバー８まで透視したものである。ここで２重線はシールを示す。つまりこのシールはフッ素樹脂などの潤滑性や耐熱性の高い材料でできた摺接部材を先端に有し、除湿ロータ１と接し、相対的に摺接することによってシール両側の空気の混合を防いでいるものである。
【００１９】
また破線は被処理空気流出側チャンバー８に設けたシールを示す。そして実線はシールを有しない仕切壁を示す。円の中に×を描いた記号は空気が紙面の表から裏に向かっていることを示し、円の中に黒丸を描いた記号は空気が紙面の裏から表に向かっていることを示している。
【００２０】
脱着ブロア１０は復路パージゾーン５と第２脱着ゾーン４共通のダクト１２を介して両ゾーンの空気を吸い込む。処理ブロア９の吐き出し空気は処理ダクト１３より吸着ゾーン２と往路パージゾーン６との両方に送り込まれる。
【００２１】
図３は図２の反対側から透視図で被処理空気流出側チャンバー８から除湿ロータ１を通して被処理空気流入側チャンバー７まで透視したものである。被処理空気流出側チャンバー８は復路パージゾーン５と往路パージゾーン６間を仕切る壁がなく、復路パージゾーン５と往路パージゾーン６間は連通状態である。
【００２２】
本発明の除湿装置は以上のような構成であり、以下その動作について説明する。先ず、処理ブロア９、脱着ブロア１０を動作させ、除湿ロータ１を回転させる。続いてヒータ１１を動作させる。すると大気やドライルーム室内空気などの被処理空気が吸着ゾーン２を通過し、乾燥空気となって製品空気ＳＡとして供給される。
【００２３】
この時、被処理空気の一部は往路パージゾーン６を通過して被処理空気流出側チャンバー８に入り、ここで流れ方向が反転して復路パージゾーン５を通過し、再び被処理空気流入側チャンバー７に入る。
【００２４】
被処理空気流入側チャンバー７に入った空気はダクト１２を通過して脱着ブロア１０に入る。脱着ブロア１０によって加圧され、ヒータ１１で加熱されて第１脱着ゾーン３と第２脱着ゾーン４を通過する。
【００２５】
第２脱着ゾーン４を通過した空気は湿度が比較的低く、復路パージゾーン５を通過した空気とともにダクト１２を通過して再び脱着ブロア１０に入る。第１脱着ゾーン３を通過した空気は湿度が高く、大気へ排気ＥＡとして放出される。
【００２６】
第１脱着ゾーン３を通過した空気の湿度が高い理由は、第１脱着ゾーン３は吸着ゾーン２のすぐ後にあり、除湿ロータ１は第１脱着ゾーン３に入った時に最も多くの湿気を有しているためである。
【００２７】
逆に第２脱着ゾーン４を通過した空気は第１脱着ゾーン３を通過した空気より湿度が低く、さらに脱着エネルギーが小さいため温度も高い。よってこの空気を再びヒータ１１へ戻すことによってエネルギー消費を抑えることができる。
【００２８】
ここで被処理空気流入側チャンバー７と被処理空気流出側チャンバー８について着目すると、除湿ロータ１を６つのゾーンに分割するために被処理空気流入側チャンバー７は最低２つのシール部材、被処理空気流出側チャンバー８は最低３つのシール部材だけで実現可能であり、低いコストで実現することができる。
【００２９】
往路パージゾーン６を通過した空気を復路パージゾーン５へ送る手段として単に被処理空気流出側チャンバー８に両パージゾーン両方に跨る部屋を作るだけでよく、特別なコストは必要としない。
【００３０】
さらに第２脱着ゾーン４と復路パージゾーン５を通過した空気とを混合してブロア１０へ送る手段として、特別なものは必要とせず第２脱着ゾーン４と復路パージゾーン５を跨る部屋を被処理空気流入側チャンバー７に作り共通のダクト１２でブロア１０に送るだけであるので、極めてコストが低い。
【００３１】
第１脱着ゾーン３と第２脱着ゾーン４とを通過した空気は多少混合しても問題がないため、被処理空気流入側チャンバー７の第１脱着ゾーン３と第２脱着ゾーン４間を隔てる壁にはシール手段を必要とせず、コストを低くすることができる。
【産業上の利用可能性】
【００３２】
本発明は、低露点の空気を少ないエネルギーで供給でき、またコストの安い除湿機を提供する。
【図面の簡単な説明】
【００３３】
【図１】本発明の除湿機の実施例を示すフロー図である。
【図２】図１の左方向から見た透視図である。
【図３】図２の反対側から見た透視図である。
【符号の説明】
【００３４】
１    除湿ロータ
２    吸着ゾーン
３    第１脱着ゾーン
４    第２脱着ゾーン
５    復路パージゾーン
６    往路パージゾーン
７    被処理空気流入側チャンバー
８    被処理空気流出側チャンバー
９    処理ブロア
１０    脱着ブロア
１１    ヒータ
１２    ダクト
１３    処理ダクト
【図１】
2005337616.tif 000003
【図２】
2005337616.tif 000004
【図３】
2005337616.tif 000005